(57)【特許請求の範囲】
【請求項１】
プロピルプロピレングリコール、プロピルプロピレンジグリコール及びブチルプロピレングリコールからなる群より選ばれる少なくとも一種の分岐状ノニオン化合物（１）と、ブチルジグリコール及びヘキシルジグリコールからなる群より選ばれる少なくとも一種の直鎖状ノニオン化合物（２）とからなる有機溶剤（Ａ）２０〜４０重量％、ならびに水（Ｂ）６０〜８０重量％を含有し、かつ、前記式（１）の分岐状ノニオン系化合物と式（２）の直鎖状ノニオン系化合物との重量比（（１）／（２））が０．５／３〜３／０．３であり、かつ、曇点が２０〜９０℃である水溶液を用いてなる、フラックス残渣除去用洗浄剤。
【請求項２】
ブチルジグリコール及びヘキシルジグリコールからなる群より選ばれる少なくとも一種の直鎖状ノニオン化合物（２）からなる有機溶剤（Ａ）２０〜４０重量％、ならびに水（Ｂ）６０〜８０重量％を含有し、かつ、曇点が２０〜９０℃である水溶液を用いてなる、フラックス残渣除去用洗浄剤。
【請求項３】
有機溶剤（Ａ）の沸点が２００℃以下である、請求項１又は２のフラックス残渣除去用洗浄剤。
【請求項４】
さらにアミノアルコール（Ｃ）を含有する、請求項１〜３のいずれかのフラックス残渣除去用洗浄剤。
【請求項５】
請求項１〜４のいずれかの洗浄剤をその曇点以上の温度でフラックス残渣が付着した被洗浄物に接触させることを特徴とする、物品の洗浄方法。
【発明の詳細な説明】
【技術分野】
【０００１】
本発明は、保管時には均質な溶液である一方、使用時には白濁状態となり、フラックス残渣を好適に除去できる洗浄剤に関する。
【背景技術】
【０００２】
フラックス残渣とは、ＩＣやコンデンサ、抵抗器等の電子部品をプリント基板等にハンダ付した際、ハンダ接合部付近に残留するフラックス成分をいう。フラックスとしては一般にロジン類をベース材としたもの（以下、ロジン系フラックスという）が使用されており、電極に直接塗布する場合もあれば、ハンダ合金粉末と混合しハンダペーストとして使用される場合もあり、表面実装基板の製造においては後者の態様が主流である。
【０００３】
ハンダペーストによる表面実装のプロセスは様々であるが、一例を挙げると、プリント基板の電極上にハンダペーストがスクリーン印刷やディスペンサー等によって供給され、その上に電子部品を載置し、当該基板をハンダ金属の融点以上に加熱することによって、電子部品と電極が接合される。
【０００４】
前記のようにハンダ付は高温で行われるため、ハンダペーストからロジン系フラックスが飛散し、電極周囲に残渣として付着することがある。残渣は少量であれば格別問題ないが、多量であると表面実装基板の検品作業や信頼性に悪影響が及ぶ。一方、ハンダ接合部はフラックス残渣膜により不可避的に覆われるが、残渣中の酸成分（樹脂酸、活性剤等）による腐食が進行したり、残渣膜表面の微細なクラックにおいて所謂マイグレーション現象による悪影響を受けたりする。
【０００５】
それゆえ、フラックス残渣は通常、各種洗浄剤で除去する必要があり、斯界では従来、ロジン系フラックスに適した洗浄剤として様々な製品が提案されてきた（例えば特許文献１〜３を参照。）。本出願人も例えば、ポリオキシアルキレングリコールエーテルやポリオキシアルキレングリコールエステル等のグリコール系溶剤からなる洗浄剤を種々提案している（例えば特許文献４〜７を参照。）。
【０００６】
ところで、これら洗浄剤は一般的に、洗浄効率を高めるべく５０〜６０℃程度に加温された状態で使用されるが、粘度を下げて取り扱いをよくしたり、ＶＯＣ排出を抑えたりするために、洗浄現場では洗浄剤を予め水で希釈することがある。しかし、当然のことではあるが、水の配合量を多くすればするほど洗浄成分である有機溶剤の比率が低下するため、フラックス残渣を十分に除去できなくなる。
【０００７】
こうした問題を解消するべく、例えば特許文献８において、ＳＰ（溶解度パラメータ）値が異なる３種の有機溶剤を組み合わせた洗浄剤が提案されている。このものは、水を配合する前は均一な溶液であるが、使用前に比較的多量の水を配合し撹拌することによって白濁し、その状態においてフラックス残渣を好適に除去するとされている。しかし、使用直前に水を都度配合しなければならないため、作業性の点で難がある。また、この洗浄剤は水を加えた後に長時間放置すると有機溶剤と水の二層に分離するため、洗浄剤が余った場合、次に使用する際に再度撹拌しなければならないという点でも不便である。
【先行技術文献】
【特許文献】
【０００８】
【特許文献１】特開平６−３１３１９５号公報
【特許文献２】特開平７−１９７０９５号公報
【特許文献３】特開平７−３３１２８７号公報
【特許文献４】特開平５−１７５６４１号公報
【特許文献５】特開平７−９７５９６号公報
【特許文献６】特開平７−７３８９３号公報
【特許文献７】特開２００２−２０１４９２号公報
【特許文献８】特開２０１０−１８９６３５号公報
【発明の概要】
【発明が解決しようとする課題】
【０００９】
本発明は、常温では均質な水溶液であるが、使用時（加温時）には白濁状態となってフラックス残渣を好適に除去できる、新規な洗浄剤を提供することを課題とする。
【課題を解決するための手段】
【００１０】
本発明者は鋭意検討した結果、所定のノニオン系化合物からなる有機溶剤に水を比較的多量に含ませた水溶液が前記課題を達成する洗浄剤として有用であることを見出した。
【００１１】
即ち本発明は、プロピルプロピレングリコール、プロピルプロピレンジグリコール及びブチルプロピレングリコールからなる群より選ばれる少なくとも一種の分岐状ノニオン化合物（１）と、ブチルジグリコール及びヘキシルジグリコールからなる群より選ばれる少なくとも一種の直鎖状ノニオン化合物（２）とからなる有機溶剤（Ａ）２０〜４０重量％、ならびに水（Ｂ）６０〜８０重量％を含有し、かつ、前記式（１）の分岐状ノニオン系化合物と式（２）の直鎖状ノニオン系化合物との重量比（（１）／（２））が０．５／３〜３／０．３であり、かつ、曇点が２０〜９０℃である水溶液を用いてなる、フラックス残渣除去用洗浄剤；ブチルジグリコール及びヘキシルジグリコールからなる群より選ばれる少なくとも一種の直鎖状ノニオン化合物（２）からなる有機溶剤（Ａ）２０〜４０重量％、ならびに水（Ｂ）６０〜８０重量％を含有し、かつ、曇点が２０〜９０℃である水溶液を用いてなる、フラックス残渣除去用洗浄剤；当該洗浄剤をその曇点以上の温度でフラックス残渣が付着した被洗浄物に接触させることを特徴とする、物品の洗浄方法、に関する。
【発明の効果】
【００１２】
本発明の洗浄剤は、前記したように、常温では均質な水溶液であるが、その曇点以上に加温することによって二層に分離し、さらにその状態で撹拌することにより白濁する。そして、この白濁状態の洗浄剤により、フラックス残渣を好適に除去することが可能になる。また、本発明の洗浄剤に添加剤としてアミノアルコール類を配合した場合には、洗浄後に析出物が発生し難くなるため、繰り返し使用に適するようになる。また、常温では均質であることより一液の状態で貯蔵できる利点もある。また、揮発性が高いため、後の水リンス工程を設ける必要が特になく、全行程の簡素化を図ることもできる。その他、水の含有量が多いため、ＶＯＣ排出量も少なく、非危険物として取り扱うことができる。
【発明を実施するための形態】
【００１３】
本発明の洗浄剤はプロピルプロピレングリコール、プロピルプロピレンジグリコール及びブチルプロピレングリコールからなる群より選ばれる少なくとも一種の分岐状ノニオン化合物（１）と、ブチルジグリコール及びヘキシルジグリコールからなる群より選ばれる少なくとも一種の直鎖状ノニオン化合物（２）とからなる有機溶剤（Ａ）２０〜４０重量％、ならびに水（Ｂ）６０〜８０重量％を含有し、かつ、前記式（１）の分岐状ノニオン系化合物と式（２）の直鎖状ノニオン系化合物との重量比（（１）／（２））が０．５／３〜３／０．３であり、かつ、曇点が２０〜９０℃である水溶液を用いたものと、ブチルジグリコール及びヘキシルジグリコールからなる群より選ばれる少なくとも一種の直鎖状ノニオン化合物（２）からなる有機溶剤（Ａ）２０〜４０重量％、ならびに水（Ｂ）６０〜８０重量％を含有し、かつ、曇点が２０〜９０℃である水溶液を用いたものとである。
【００１７】
なお、必要に応じ、（Ａ）成分とともに、前記化合物（１）および化合物（２）以外の成分として、ポリオキシアルキレンアルキルエーテル、ポリオキシアルキレンフェノールエーテル、ポリオキシアルキレンアルキルフェノールエーテルや、ポリアルキレングリコールモノエステル、ポリアルキレングリコールジエステル等のポリアルキレングリコールエステル等を併用できる。
【００１８】
（Ｂ）成分としては、イオン交換水、純水、市水等が挙げられる。
【００１９】
本発明の洗浄剤における（Ａ）成分及び（Ｂ）成分の含有量は特に限定されないが、本発明の洗浄剤の常温での透明性、使用時（加温下での撹拌時）での白濁性、及びフラックス残渣の除去性能を考慮して、順に２０〜４０重量％程度および６０〜８０重量％程度であり、好ましくは２５〜３５重量％および６５〜７５重量％である。
【００２０】
本発明の洗浄剤はその曇点である２０〜９０℃を境に前記白濁の有無を判断する。ここに曇点とは、ＪＩＳ  Ｋ３２１１で定義される用語であり、本発明においては、洗浄剤を昇温させたときに二層に分離し始める温度をいう。曇点は、好ましくは２５〜７０℃程度、いっそう好ましくは３０〜５０℃程度である。
【００２１】
（Ａ）成分の物性は格別限定されないが、被洗浄物の乾燥性の点より沸点が通常２００℃以下、好ましくは１４０〜２００℃程度、いっそう好ましくは１４０〜１８０℃程度のものが好ましい。
【００２２】
本発明に係る水溶液には、被洗浄物の汚染物質を洗浄剤中に安定して溶解または分散させル目的で、各種公知のアミノアルコール（Ｃ）（以下、（Ｃ）成分という）を含めることができる。具体的には、直鎖状または分岐状のアルキル基（炭素数１〜５程度）を有するアミノアルコールが挙げられ、ｎ−ブチルジエタノールアミン、エチルエタノールアミン、ｎ−ブチルエタノールアミン等を例示できる。また、（Ｃ）成分は、フラックス残渣がロジンをベース材とするフラックスによるものであるときに特に有効であり、洗浄後に当該フラックスの成分に由来する析出物が発生し難くなる。また、（Ｃ）成分としては、被洗浄物の乾燥性を加味すると、沸点２５０℃未満のものが、特に沸点１５０〜２００℃程度のものが好ましい。本発明の洗浄剤における（Ｃ）成分の含有量は特に限定されないが、本発明に係る水溶液１００重量％とした場合に通常０〜５重量％程度、好ましくは０．１〜１重量％となる範囲である。
【００２３】
本発明の物品の洗浄方法は、本発明の洗浄剤をその曇点以上の温度でフラックス残渣が付着した被洗浄物に接触させることを特徴とする。被洗浄物としては、フラックス残渣、具体的にはロジン系フラックス残渣が付着したものであれば特に限定されない。例えば、ＩＣやコンデンサ、抵抗器等の電子部品を、ロジン系フラックスを含むハンダペーストによってプリント基板に表面実装したものが挙げられる。また、ロジン系フラックスとしては、一般にロジン類をベース材としてものあれば特に限定されず、他に各種活性剤やチキソトロピック剤、添加剤等を含んでいてよい。
【００２４】
被洗浄物に本発明の洗浄剤を接触させる手段は特に限定されず、例えば浸漬洗浄やシャワー洗浄、超音波洗浄、液中ジェット洗浄等の各種方法が挙げられる。また、洗浄の際に各種ミキシング手段を併用することにより、白濁状態が達成される。
【００２５】
また、洗浄後の被洗浄物は乾燥工程に付される。乾燥後の水リンス工程は特に必要ないが、設ける場合には、リンス温度を本発明の洗浄剤の曇点以下とすることにより、前記化合物（１）および化合物（２）をリンス水で除去しやすくなる。
【実施例】
【００２６】
以下、実施例を通じて本発明をより具体的に説明するが、本発明の範囲がそれらによって何ら限定されないことはもとよりである。なお、部は重量基準である。
【００２７】
＜洗浄剤組成物の調製＞
実施例１
（Ａ）成分としてプロピルプロピレングリコール３０部、（Ｂ）成分として純水７０部をビーカーに入れ、よく撹拌することにより洗浄剤組成物を調製した。
【００２８】
実施例１〜５、比較例１  
各成分を表１に変更した他は実施例１に順じて洗浄剤組成物を調製した。なお、表中の数字は部数を示す。
【００２９】
＜洗浄試験用試験板の作製＞
市販の銅板（２．０ｃｍ×４．０ｃｍ×０．３ｍｍ）にリング状の鉛フリーハンダ合金を載せた。次いで、市販のアクリル化ロジン（商品名「ＫＥ−６０４」、荒川化学工業（株）製）とイソプロピルアルコールからなるフラックス溶液（不揮発分８０％）をリング内部にスポイドで三滴注入した。次いで当該銅板をホットプレートに載せ、２５０℃で加熱し、鉛フリーハンダ合金を溶融させたところ、フラックス残渣で覆われたドーム状のハンダ合金が残された。このようにして得られた銅板を洗浄試験基板Ａとする。
【００３０】
前記フラックス溶液に代えて、荒川化学工業（株）製の鉛フリーハンダフラックス（商品名「Ａ５９−２６−３５」；ベースロジンとしてＫＥ−６０４、その他各種活性剤含む）とイソプロピルアルコールからなるフラックス溶液（不揮発分８０％）を用い、前記同様の方法によりハンダ合金付の銅板を作製した。これを洗浄試験基板Ｂとする。
【００３１】
＜洗浄試験＞
実施例１の洗浄剤組成物を１００ｍLのビーカーに入れ、６０℃に加温して、スターラーで撹拌し、懸濁状態にした。次いで、その状態の洗浄剤組成物に前記洗浄試験板ＡとＢを浸漬し、フラックス残渣が溶解するまでの時間をそれぞれ測定し、以下の基準で洗浄力を評価した。他の実施例及び比較例の洗浄液組成物についても同様に洗浄力を評価した。
【００３２】
３分未満・・・◎
３分以上、４分未満・・・○
４分以上、５分未満・・・△
５分以上・・・×
【００３３】
＜析出物の確認＞
洗浄試験後、撹拌を止め、洗浄液の前記温度を維持した状態でその外観を観察し、析出物の発生の有無を以下の基準で目視判断した。
【００３４】
析出物無し・・・○
析出物有り・・・×
【００３５】
【表１】
0005945914.tif 000002
【００３６】
ＰＦＧ：プロピルプロピレングリコール
ＰＦＤＧ：プロピルプロピレンジグリコール
ＢＤＧ：ブチルジグリコール
ＨｅＤＧ：ヘキシルジグリコール
ＭＥＭ：エチルエタノールアミン